(57)【特許請求の範囲】
【請求項１】
カメラ本体側のウェッジとレンズ鏡筒側のウェッジを係合させると共に、カメラ本体側のハンガーマウント基準面とレンズ鏡筒側のハンガーマウント基準面を当接させてなるハンガーマウント方式と、カメラ本体側の光軸合わせ基準径部とレンズ鏡筒側の光軸合わせ基準径部を嵌合させると共に、レンズ鏡筒側の取付用フランジをカメラ本体側のバヨネットマウント基準面に当接させてなるバヨネットマウント方式の両マウント方式のうちいずれか一方のマウント方式によってレンズ鏡筒とカメラ本体の装着を可能にするレンズマウント装置であって、各マウント方式による前記レンズ鏡筒と前記カメラ本体の装着可・不可状態を設定するための操作リングと、この操作リングの操作位置によってカメラ本体側に係脱可能な枢支レバーとを備え、この枢支レバーを、ハンガーマウント方式による前記レンズ鏡筒と前記カメラ本体の装着可状態においてカメラ本体側に係止可能な構成とし、かつハンガーマウント方式による前記レンズ鏡筒と前記カメラ本体の装着不可状態においてはカメラ本体側に係止不可能な構成としたことを特徴とするレンズマウント装置。
【請求項２】
前記枢支レバーには、前記操作リングのリング開口部より大きいレバー開口部が設けられていることを特徴とする請求項１記載のレンズマウント装置。
【請求項３】
前記操作リングの外周面には、リング径方向に突出するリング操作子が設けられていることを特徴とする請求項２記載のレンズマウント装置。
【請求項４】
前記枢支レバーに前記リング操作子がレバー係止状態において臨む切欠きを形成し、この切欠きを前記レバー開口部に連通させたことを特徴とする請求項３記載のレンズマウント装置。
【請求項５】
前記操作リングは、前記カメラ本体にベースプレートを介して回転かつ進退自在に設けられていることを特徴とする請求項４記載のレンズマウント装置。
【請求項６】
前記ベースプレートには、前記カメラ本体に螺着可能なプレート取付ねじが進退自在に保持されていることを特徴とする請求項５記載のレンズマウント装置。
【請求項７】
前記枢支レバーには、前記プレート取付ねじにレバー係止状態において対向する突出部が延設されていることを特徴とする請求項６記載のレンズマウント装置。
【発明の詳細な説明】
【０００１】
【発明の属する技術分野】
本発明は、マウント規格が異なるポータブルレンズおよび大型レンズの双方のレンズのうちいずれか一方のレンズを選択的に着脱可能なレンズマウント装置に関するものである。
【０００２】
【従来の技術】
一般に、例えば業務用，放送局用等のビデオカメラには、１台のカメラ本体に対して様々な焦点距離，ズーム比が異なる複数種のレンズを使用する必要から、レンズ交換機能を有しカメラ本体に対してレンズを着脱可能にするレンズマウント装置が備えられている。
【０００３】
従来、この種のレンズマウント装置には、ポータブルレンズとポータブルカメラ本体の組み合わせに係るもの（バヨネットマウント方式によって装着可能）あるいは大型レンズと大型カメラ本体の組み合わせに係るもの（ハンガーマウント方式によって装着可能）が採用されている。
【０００４】
このうち、ポータブルレンズとポータブルカメラ本体の組み合わせに係るレンズマウント装置は、例えば図３９および図４０に示すように使用されており、図４１（Ａ），（Ｂ）と図４２（Ａ），（Ｂ）に示すように構成されている。
【０００５】
これを同図および図４３（Ａ），（Ｂ）と図４４（Ａ），（Ｂ）に基づいて説明する。
【０００６】
同図において、符号１で示すものは把手２およびショルダーパッド３を有するカメラ本体で、前端部には光軸方向に開口する貫通孔４およびこの貫通孔４の両開口周縁のうち外側の開口周縁に突出するマウント筒５が設けられている。
【０００７】
このマウント筒５は、各曲率半径が互いに異なる大小２つの内周面５ａ，５ｂを有する筒体によって形成されている。
【０００８】
また、このマウント筒５の開口端部外周面には、位置決め用の切欠き６ａをその内周縁に有するフランジ６が突設されている。
【０００９】
７はレンズ装着用の操作リングで、前記フランジ６の外周面に回転かつ進退自在に螺着されている。
【００１０】
この操作リング７には後述するレンズフランジを前記フランジ６のカメラ基準面（バヨネットマウント基準面）６ｂに圧接可能な内フランジ８が一体に設けられており、この内フランジ８には周方向に等間隔をもって並列する３つの切欠き９が形成されている。
【００１１】
１０は前記内周面（レンズ鏡筒嵌合部）５ａに嵌合する外周面（カメラ本体嵌合部）１０ａを有するレンズ鏡筒で、前記カメラ本体１に前記操作リング７を介して着脱自在に設けられている。
【００１２】
このレンズ鏡筒１０の外周面には前記各切欠き９内に挿抜可能な３つのレンズフランジ１１が突設されており、これらレンズフランジ１１のレンズ基準面（バヨネットマウント基準面）１１ａには前記切欠き６ａ内に挿抜可能な回り止めピン１２が突設されている。
【００１３】
このように構成されたレンズマウント装置において、カメラ本体１に対してレンズ鏡筒１０を装着するには、切欠き６ａ，９に回り止めピン１２とレンズフランジ１１を臨ませ、操作リング７を回動操作することにより行う。
【００１４】
このとき、レンズ基準面１１ａとカメラ基準面６ｂを合わせることにより光路長が設定され、またカメラ本体嵌合部１０ａとレンズ鏡筒嵌合部５ａを合わせることにより光軸合わせが行われる。
【００１５】
一方、大型レンズと大型カメラ本体の組み合わせに係るレンズマウント装置にあっては、図４５〜図４７に示すように使用されている。
【００１６】
これを同図に基づいて説明する。
【００１７】
同図において、符号２１で示すものは把手２２を前方上端部に有するカメラ本体で、前面略中央部には光軸方向に開口する貫通孔２３およびこの貫通孔２３の内外両開口周縁のうち外側の開口周縁に突出する筒部２５が設けられている。
【００１８】
このカメラ本体２１の前面下方端縁および前面上方端縁には、カメラ前方に突出しレンズ鏡筒取付用の係止棒２６に回動動作を付与するための操作子２７と位置決め用の凹部２８ａを有し左右方向に延在するウェッジ２８が取り付けられている。
【００１９】
また、このカメラ本体２１の前面左側部には左右方向に延在するコネクタ２９が装着されており、このコネクタ２９の右側方には前方に開口するレンズ浮き上がり防止用の凹部３０が設けられている。
【００２０】
３１は前記筒部２５内に一部が臨むレンズ鏡筒３２を保持するレンズ筐体で、前記カメラ本体２１に着脱自在に設けられている。
【００２１】
このレンズ筐体３１の背面部には、前記凹部２８ａ内に挿抜可能なピン３３有し前記ウェッジ２８に係合可能なウェッジ３４が取り付けられている。
【００２２】
また、このレンズ筐体３１の背面部には、前記凹部３０の内外に挿抜可能なピン３５および前記コネクタ２９に嵌合可能なコネクタ３６が設けられている。
【００２３】
このように構成されたレンズマウント装置において、カメラ本体２１に対してレンズ筐体３１を装着するには、両ピン３３，３５を各々凹部２８ａ，３０内に臨ませると共に、ウェッジ２８とウェッジ３４を係合させ、レンズ筐体３１の係止部３１ｃを操作子２７の回動操作によって係止棒２６に係止することにより行う。
【００２４】
ところで、通常の大型レンズはポータブルレンズと比較して光学的性能にすぐれており、またズーム比も大きいため、この大型レンズをポータブルカメラのカメラ本体に装着して使用したいという要望がある。
【００２５】
このような要望に応じるためには、大型レンズのレンズ筐体３１と大型カメラのカメラ本体２１の着脱のみならず大型レンズのレンズ筐体３１とポータブルカメラのカメラ本体１の着脱を可能にするマウント機能が単一のレンズマウント装置に備えられている必要がある。
【００２６】
このため、従来のレンズマウント装置において、ポータブルカメラのカメラ本体に大型レンズを装着するには、ハンガーマウント方式によるレンズ結合を可能にするレンズサポータが使用される。
【００２７】
これにより、大型レンズのレンズ筐体３１は、ハンガーマウント方式によって図４８〜図５２に示すように大型カメラのカメラ本体２１に装着されると共に、同じくハンガーマウント方式によって図５３〜図５５に示すようにポータブルカメラのカメラ本体４２に装着される。
【００２８】
このうち、ポータブルカメラのカメラ本体に対して大型レンズを装着する方法につき、図５３〜図５５を用いて説明する。
【００２９】
先ず、図５３に示すようにレンズサポータ４３のウェッジ４３ａにレンズ筐体４１のウェッジ４１ａを係合させ、ハンガーマウント操作によってレンズサポータ４３の開口部４３ｂにレンズ鏡筒４４を挿通させる。
【００３０】
次いで、図５４に示すように操作子４５を正方向に回動操作し、係止棒４６によってレンズ筐体４１の係止部４１ｂを係止する。
【００３１】
しかる後、図５５に示すようにカメラ本体４２のバヨネットマウント部４７内にレンズ鏡筒４４を臨ませてから、レンズサポータ４３上のカメラ高さ調整機構４８に取付プレート４９を介してカメラ本体４２を固定する。
【００３２】
このようにして、ポータブルカメラのカメラ本体４２に大型レンズのレンズ筐体４１を装着することができる。
【００３３】
なお、カメラ高さ調整機構４８に対するカメラ本体４２の固定は取付ねじ５０によって行う。
【００３４】
また、ポータブルカメラのカメラ本体４２から大型レンズを離脱させるには、カメラ高さ調整機構４８とカメラ本体４２の固定を解除し、次にレンズ鏡筒４４をバヨネットマウント部４７外に取り出した後、操作子４５を負方向に回動操作して係止棒４６と係止部４１ｂの係止状態を解除してから、ハンガーマウント操作と逆の操作をして各ウェッジ４１ａ，４３ａの係合状態を解除することにより行う。
【００３５】
【発明が解決しようとする課題】
しかるに、この種のレンズマウント装置においては、大型カメラのカメラ本体２１に大型レンズを装着する場合にハンガーマウント操作とレンズ結合操作を一挙に行うことができるが、これに対してポータブルカメラのカメラ本体４２に大型レンズを装着する場合にはハンガーマウント操作とレンズ結合操作を一挙に行うことができなかった。
【００３６】
これは、ハンガーマウント方式による大型レンズの装着時に図５６に示すようにレンズサポータ４３上のカメラ高さ調整機構４８にカメラ本体４２を固定してから、カメラ本体４２にレンズ筐体４１を装着しようとすると、図５７〜図６１に示すハンガーマウント操作時にレンズ鏡筒４４とバヨネットマウント部４７が干渉してしまうため、この干渉を回避する必要が生じるからである。
【００３７】
この結果、ハンガーマウント方式によってポータブルカメラのカメラ本体に大型レンズを装着する場合に同じくハンガーマウント方式によって大型カメラのカメラ本体に大型レンズを装着する場合と比較して操作数が嵩み、大型レンズ装着時の作業を煩雑にするという問題があった。
【００３８】
本発明はこのような事情に鑑みてなされたもので、ハンガーマウント方式によるレンズ装着可状態が設定された後にレンズ鏡筒とカメラ本体を装着可能とすることでカメラ本体に対する大型レンズの干渉を未然に防止することができるレンズマウント装置を提供するものである。
【００３９】
【課題を解決するための手段】
本発明に係るレンズマウント装置は、カメラ本体側のウェッジとレンズ鏡筒側のウェッジを係合させると共に、カメラ本体側のハンガーマウント基準面とレンズ鏡筒側のハンガーマウント基準面を当接させてなるハンガーマウント方式と、カメラ本体側の光軸合わせ基準径部とレンズ鏡筒側の光軸合わせ基準径部を嵌合させると共に、レンズ鏡筒側の取付用フランジをカメラ本体側のバヨネットマウント基準面に当接させてなるバヨネットマウント方式の両マウント方式のうちいずれか一方のマウント方式によってレンズ鏡筒とカメラ本体の装着を可能にするレンズマウント装置であって、各マウント方式による前記レンズ鏡筒と前記カメラ本体の装着可・不可状態を設定するための操作リングと、この操作リングの操作位置によってカメラ本体側に係脱可能な枢支レバーとを備え、この枢支レバーを、ハンガーマウント方式による前記レンズ鏡筒と前記カメラ本体の装着可状態においてカメラ本体側に係止可能な構成とし、かつハンガーマウント方式による前記レンズ鏡筒と前記カメラ本体の装着不可状態においてはカメラ本体側に係止不可能な構成としたものである。ハンガーマウント方式によるレンズ鏡筒とカメラ本体の装着はカメラ本体側に枢支レバーを係止してから行われる。
【００４０】
【発明の実施の形態】
以下、本発明の構成等を図に示す実施例によって詳細に説明する。
【００４１】
図１〜図２３は本発明に係るレンズマウント装置の要部および各構成部品等を示す図で、同図において図３９，図４１および図４２と同一または同等の部材については同一の符号を付し、詳細な説明は省略する。
【００４２】
なお、同実施例の説明において、図１〜図２３に図示しない部材については従来例の説明で用いた部材と同一の符号を用いる。
【００４３】
同図において、符号８０で示すものはハンガーマウント方式およびバヨネットマウント方式の両マウント方式のうちいずれか一方のマウント方式によって前記レンズ鏡筒１０，３２と前記カメラ本体１，２１の選択的装着を可能にするレンズマウント装置である。
【００４４】
このレンズマウント装置８０は、前記レンズ鏡筒１０，３２の着脱側（前方）に開口し例えばプリズム（図示せず）やＣＣＤ撮像素子（図示せず）等の光学部品を内蔵する筐体８０ａと、この筐体８０ａの前方開口部を閉塞するように設けられ後述する例えばスライドリングや円筒カム等のマウント用部品８０ｂとからなり、前記カメラ本体１にビスａによって着脱自在に設けられている。
【００４５】
８１は光軸方向に開口する光透過用の貫通孔８２を有する平面視略矩形状のベースプレートで、前記カメラ本体１の前面部に固定されており、各角部には前記ビスａが挿通するビス挿通孔８１ａが設けられている。
【００４６】
このベースプレート８１の貫通孔８２内には裏側開口部の一部を閉塞する内フランジ８３が一体に設けられており、内周面一部には円周方向に略１２０°延在する円弧面８４ａを有する切欠き８４が形成されている。
【００４７】
また、このベースプレート８１には、前記貫通孔８２の開口周縁に開口するねじ孔８１ｂが設けられている。
【００４８】
８５は前記貫通孔８２の表側開口周縁に対接するフランジ８６をその軸線方向略中央部に有するベースリングで、前記ねじ孔８１ｂに螺合するビス８７によって前記ベースプレート８１に固定されている。
【００４９】
このベースリング８５のフランジ８６には、円周方向に略１２０°延在する長孔８８が前記切欠き８４に対応させて設けられており、この長孔８８の延長方向に所定の間隔をもって並列し前記ビス８７が挿通するビス挿通孔８１ｃが設けられている。
【００５０】
そして、このベースリング８５には、後方に開口しかつ光軸の周囲に延在する凹溝８９を形成することにより環状壁９０が設けられており、この環状壁９０のリング開口部と反対側のリング開口部内に環状の切欠き９１を形成することによりバヨネットマウント方式による前記レンズ鏡筒１０と前記カメラ本体１の装着状態において前記レンズフランジ１１のバヨネットマウント基準面１１ａに対接するバヨネットマウント基準面８５ａが設けられている。
【００５１】
また、このベースリング８５の開口部内には、リング周方向最上位置において前記バヨネットマウント基準面８５ａに開口し前記回り止めピン１２が挿抜可能なレンズフランジ位置決め用の凹溝９２が形成されている。
【００５２】
さらに、このベースリング８５の前方開口端部には、リング外周面に露呈するねじ部９１ａが設けられている。
【００５３】
９５は前記レンズ鏡筒１０の外周面１０ａ（バヨネットマウント用の光軸合わせ基準径部）に嵌合可能な内周面（バヨネットマウント用の光軸合わせ基準径部）
９５ａを有するスライドリングで、前記ベースリング８５内に進退自在に設けられており、リング外周面上には前記各スリット溝９３，９４内に臨むピン９６，９７がリング径方向に突出して取り付けられている。
【００５４】
このスライドリング９５の前方開口端部（レンズ取付側）には、前記凹溝９２に対応する切欠き９８が形成されており、この切欠き９８から周方向に略９０°リング内外両周面に開口し前記各ピン９６，９７が螺合するピン取付孔９５ｂ，９５ｃが設けられている。
【００５５】
そして、このスライドリング９５は、前記ベースリング８５の中心軸線に沿って前記レンズ鏡筒１０に対する遠近２つのリング軸線方向位置間を進退し、これら両軸線方向位置のうち遠方位置に位置する状態において内周面９５ａが前記レンズ鏡筒１０の外周面１０ａへの嵌合を回避してハンガーマウント方式による前記レンズ鏡筒１０と前記カメラ本体１を装着し得るように構成され、かつ近方位置に位置する状態において内周面９５ａが前記レンズ鏡筒１０の外周面１０ａに嵌合してバヨネットマウント方式による前記レンズ鏡筒１０と前記カメラ本体１を装着し得るように構成されている。
【００５６】
９９は後述する操作リングの回動操作に連動して前記スライドリング９５に進退動作を付与する円筒カムで、前記ベースリング８５の中心軸（光軸）線上に設けられ、かつ前記環状溝８９と前記貫通孔８２内に跨って回動自在に収納されており、カム外周面上には切欠き１００ａを有するピン係止片１００が取り付けられている。
【００５７】
この円筒カム９９には、前記各ピン９６，９７によって挿通され各形成位置がカム軸線方向およびカム円周方向に互いに異なる２つの長孔１０１ａ，１０１ｂと、これら両長孔１０１ａ，１０１ｂに連通する連結孔１０１ｃとからなるカム孔１０１が形成されている。
【００５８】
そして、この円筒カム９９は、前記カム孔１０１の各孔１０１ａ，１０１ｂに前記ピン９６，９７が臨むことにより前記スライドリング９５を光軸方向に異なる進退位置に位置付けるように構成されている。
【００５９】
さらに、この円筒カム９９の両長孔１０１ａ，１０１ｂのうち前記レンズ鏡筒１０に近い側の長孔１０１ａの長手方向寸法は、遠い側の長孔１０１ｂの長手方向寸法より大きい寸法に設定されている。
【００６０】
また、この円筒カム９９の連結孔１０１ｃは、カム回動動作を円滑にするような摩擦角をもつ傾斜面で形成されている。
【００６１】
１０２はレンズマウント用の操作リングで、前記ベースリング８５の中心軸線上に回動かつ進退自在に設けられており、前方開口端面には前記長孔８８および前記切欠き１００ａを挿通する操作ピン１０３が取り付けられている。
【００６２】
この操作リング１０２の後方部開口内周面には前記ねじ部９１ａに螺合するねじ部１０２ａが設けられており、前方部開口内周面には前記レンズフランジ１１を前記マウント基準面８５ａに圧接可能な３つの凸部１０２ｂおよびこれら凸部１０２ｂのうち相互に隣り合う２つの凸部間に形成された凹部１０２ｃが周方向に所定の間隔をもって設けられている。
【００６３】
また、この操作リング１０２の外周面上には、径方向に突出するリング操作子１０４が螺着されている。
【００６４】
このように構成されたレンズマウント装置によって大型カメラのカメラ本体に対するポータブルレンズの取付方法（バヨネットマウント方式）につき、図１４（Ａ），（Ｂ）および図１５（Ａ），（Ｂ）を用いて説明する。
【００６５】
先ず、図１４（Ａ）および（Ｂ）に示すように操作リング１０２を回動操作して初期位置に位置付ける。
【００６６】
このとき、スライドリング９５は、円筒カム９９が操作ピン１０３を介して操作リング１０２と共に回動するため、両ピン９６，９７が各長孔１０１ａの始端位置に臨むことになり、レンズ鏡筒１０に対して最も近い軸線方向位置に位置付けられる。
【００６７】
次いで、図１４（Ａ）および（Ｂ）に示すようにレンズフランジ１１および回り止めピン１２を各々凹部１０２ｃと凹溝９２内に臨ませると共に、レンズフランジ１１のバヨネットマウント基準面１１ａをベースリング８５のバヨネットマウント基準面８５ａに当接させる。
【００６８】
このとき、光軸合わせがスライドリング９５の内周面９５ａとレンズ鏡筒１０の外周面１０ａの嵌合によって行われ、また光路長がベースリング８５のバヨネットマウント基準面８５ａに対するレンズフランジ１１のバヨネットマウント基準面１１ａの当接によって設定される。
【００６９】
しかる後、操作リング１０２を図１４（Ａ）および（Ｂ）に示す初期位置から時計方向（矢印Ａ方向）に図１５（Ａ）および（Ｂ）に示すように回動操作してベースプレート８１に接近する方向（矢印Ｂ方向）に後退させることにより、レンズ鏡筒１０のレンズフランジ１１をベースリング８５のバヨネットマウント基準面８５ａに圧接する。
【００７０】
このとき、レンズ鏡筒１０のレンズフランジ１１は、操作リング１０２（凸部１０２ｂ）およびベースリング８５（バヨネットマウント基準面８５ａ）によって挾圧保持される。
【００７１】
また、操作ピン１０３は長孔８８の始端位置から略中間位置まで図１４（Ａ）および図１５（Ａ）に示すように時計方向（矢印Ａ方向）に操作リング１０２と共に移動し、この移動動作に連動して円筒カム９９は同方向に回動する。
【００７２】
なお、スライドリング９５は回り止めピン１２が凹溝９２と切欠き９８内に臨み、各ピン９６，９７がカム孔１０１の長孔１０１ａに挿通されているため、リング軸線方向およびリング周方向に停止したままである。
【００７３】
このようにして、バヨネットマウント方式による大型カメラのカメラ本体に対するポータブルレンズの取り付けを行うことができる。
【００７４】
また、大型カメラのカメラ本体からポータブルレンズを取り外すには、ポータブルレンズ取り付けの場合の操作と逆の操作を行う。
【００７５】
すなわち、ポータブルレンズの取り外しは、操作リング１０２を図１５（Ａ）および（Ｂ）に示すレンズマウント位置から初期位置まで反時計方向（矢印Ａ方向と反対の方向）に回動操作して図１４（Ａ）および（Ｂ）に示すようにベースプレート８１から離間する方向（矢印Ｂ方向と反対の方向）に前進させることにより、ベースリング８５のバヨネットマウント基準面８５ａに対するレンズフランジ１１の圧接状態を解除し、レンズフランジ１１および回り止めピン１２を各々凹部１０２ｃと凹溝９２外に取り出すことにより行われる。
【００７６】
なお、ポータブルカメラのカメラ本体に対するポータブルレンズの着脱は、大型カメラのカメラ本体に対するポータブルレンズの着脱と略同様にして行うことができ、その操作説明については省略する。
【００７７】
次に、本実施例におけるレンズマウント装置によってポータブルカメラのカメラ本体に対する大型レンズの取付方法（ハンガーマウント方式）につき、図１６〜図１８用いて説明する。
【００７８】
先ず、図１６（Ａ）および（Ｂ）に示すように操作リング１０２を回動操作して終期位置（リング操作子１０４が最下方に回動する位置）に位置付ける。
【００７９】
このとき、操作ピン１０３が長孔８８の延在方向に沿って操作リング１０２と共に図１６（Ａ）に示すように時計方向（矢印Ａ方向）に移動し、この移動動作に連動して円筒カム９９が同方向に回動する。
【００８０】
また、スライドリング９５は、円筒カム９９の回動によってピン９６，９７がカム孔１０１の長孔１０１ａから連結孔１０１ｃを経て長孔１０１ｂ内に臨むため、各ピン９６，９７がスリット溝９３，９４内を移動してレンズ鏡筒１０に対して最も遠い軸線方向位置に位置付けられる。
【００８１】
次いで、図１７に示すように予めカメラ本体１が保持固定されたレンズサポータ５２の凹部５２ａ内にピン３３を臨ませ、このピン３３が通る水平軸線の回りに図１８に示すように矢印Ｃ方向にレンズ筐体３１を回動操作することによりレンズ筐体３１のピン３５をレンズサポータ５２の凹部５２ｂ内に臨ませてレンズサポータ５２に対しレンズ筐体３１を保持する。
【００８２】
このとき、レンズサポータ５２のウェッジ５２ｂにレンズ筐体３１のウェッジ３４が係合して光軸合わせが行われ、またレンズ筐体３１の後方端面（ハンガーマウント基準面）３１ａがレンズサポータ５２の前方端面（ハンガーマウント基準面）５２ｃに当接して光路長が設定される。
【００８３】
この場合、光路長が若干大きく（０．１ｍｍ）なる寸法に設定されるが、レンズ側のフランジバック調整機構によって補正可能である。
【００８４】
また、スライドリング９５がレンズ鏡筒１０に対して最も遠い軸線方向位置に位置付けられているため、レンズ鏡筒１０がマウント操作時に図１９〜図２３に示すように変位してスライドリング９５等に干渉することがない。
【００８５】
しかる後、レンズサポータ５２上の操作子２７を正方向に回動操作して係止棒２６にレンズ筐体３１の係止部３１ｂを係止する。
【００８６】
このようにして、ポータブルカメラのカメラ本体に対する大型レンズの取り付けを行うことができる。
【００８７】
また、ポータブルカメラのカメラ本体から大型レンズを取り外すには、操作子２７を負方向に回動操作して係止棒２６と係止部３１ｂの係止状態を解除し、レンズ筐体３１のピン３３が通る水平軸線の回りに図１８に示すように矢印Ｃ方向と反対の方向にレンズ筐体３１を回動操作することによりレンズサポータ５２の凹部５２ｂ外にレンズ筐体３１のピン３５を取り出してから、レンズ筐体３１のピン３３をレンズサポータ５２の凹部５２ａから取り外すことにより行う。
【００８８】
なお、大型カメラのカメラ本体に対する大型レンズの着脱は、ポータブルカメラのカメラ本体に対する大型レンズの着脱と略同様にして行うことができ、その操作説明については省略する。
【００８９】
したがって、本実施例においては、大型レンズの装着時にハンガーマウント操作とレンズ結合操作を一挙に行うことができるから、ポータブルカメラのカメラ本体に大型レンズをハンガーマウント方式によって装着する場合の操作数を削減することができる。
【００９０】
また、本実施例においては、操作リング１０２の回動操作を円筒カム９９の回動動作によってスライドリング９５の進退動作に段階的に変換させることができる。
【００９１】
なお、本実施例においては、業務用あるいは放送局用のビデオカメラに適用する例を示したが、本発明はこれに限定適用されず、他の各種光学機器にも実施例と同様に適用可能である。
【００９２】
次に、本発明の別の第２発明（請求項７〜請求項１２）に係るレンズマウント装置につき、図２４〜図３３を用いて説明する。
【００９３】
図２４〜図３３は本発明の別の第２発明に係るレンズマウント装置の要部および各構成部品等を示す図で、同図において図２，図３９，図４１および図４２と同一または同等の部材については同一の符号を付し、詳細な説明は省略する。
【００９４】
なお、同実施例の説明において、図２４〜図３３に図示しない部材については従来例の説明で用いた部材と同一の符号を用いる。
【００９５】
同図において、符号１１１で示すものは光軸方向に開口する光透過用の貫通孔１１２を有する平面視略矩形状のベースプレートで、前記カメラ本体１の前面部に固定されている。
【００９６】
このベースプレート１１１には、プレート各角部において開口し前記ビスａが挿通する第１ビス挿通孔１１１ａおよび前記貫通孔１１２の開口周縁において開口し周方向に所定の間隔をもって並列する第２ビス挿通孔１１１ｂが設けられている。
【００９７】
なお、符号Ｈはこのベースプレート１１１の裏側（反レンズ側）に設けられ例えばプリズム（図示せず）やＣＣＤ撮像素子（図示せず）等の光学部品を有する光学系である。
【００９８】
１１３はねじ部１１３ａをその内周面に有するベースリングで、前記ベースプレート１１１に前記第２ビス挿通孔１１１ｂを挿通するビス１１５によって固定されており、後方開口端部には前記貫通孔１１２の表側開口周縁に対接する端面を有する内フランジ１１４が一体に設けられている。
【００９９】
このベースリング１１３の内フランジ１１４上には、前端面にバヨネットマウント基準面１１６ａをその先端面（レンズ取付側端面）に有し円周方向に延在する３つの凸部１１６およびこれら凸部１１６のうち相互に隣り合う２つの凸部間に形成された凹部１１７が円周方向に所定の間隔をもって設けられている。
【０１００】
このベースリング１１３の各凹部１１７内には、前記内フランジ１１４の内側開口周縁上において突出する立ち上がり壁１１８が設けられている。
【０１０１】
そして、このベースリング１１３の凸部１１６のうち最上方凸部の内周面部には、前記回り止めピン１２が挿抜可能な凹溝１１６ｂが形成されている。
【０１０２】
また、このベースリング１１３の各凸部１１６には、前記レンズ鏡筒１０の外周面１０ａの外径より大きい曲率半径をもつ円弧面１１６ｃが形成されており、リング後方端面に開口し前記ビス１１５が螺合するねじ孔１１６ｄが設けられている。
【０１０３】
１１９は前記レンズ鏡筒１０の外周面（バヨネットマウント用の光軸合わせ基準径部）１０ａに嵌合可能な円弧面（バヨネットマウント用の光軸合わせ基準径部）１１９ａを有する３つのスライドブロックで、前記ベースリング１１３の凹部１１７内に位置しリング中心軸（光軸）線に対する遠近２つの位置間をリング径方向に進退し得るように構成されている。
【０１０４】
これら各スライドブロック１１９には、後述する各カム面に係合可能な係合面１１９ｂおよび前記各立ち上がり壁１１８がその内部に臨む貫通窓１２０が設けられている。
【０１０５】
なお、これら各スライドブロック１１９の円弧面１１９ａの曲率半径は、前記凸部１１６の円弧面１１６ｃの曲率半径より小さい寸法に設定されている。
【０１０６】
１２１は径方向に突出するリング操作子１２２をその外周面に有する操作リングで、前記ベースリング１１３の軸線上に回動かつ進退自在に設けられており、後方開口端部外周面には前記ねじ部１１３ａに螺合するねじ部１２１ａが設けられている。
【０１０７】
この操作リング１２１の前方部開口内周面には前記レンズフランジ１１を前記バヨネットマウント基準面１１６ａに圧接可能な３つの凸部１２１ｂおよびこれら凸部１２１ｂのうち相互に隣り合う２つの凸部間に形成された凹部１２１ｃが周方向に所定の間隔をもって設けられており、後方部開口内周面には前記スライドブロック１１９の各係合面１１９ｂに係合可能なカム面１２３が設けられている。
【０１０８】
これら各カム面１２３は、各曲率半径が互いに異なる２つの円弧面１２３ａ，１２３ｂおよびこれら両円弧面１２３ａ，１２３ｂに連接する連結面１２３ｃからなり、このうち各円弧面１２３ａ，１２３ｂに前記スライドブロック１１９の各係合面１１９ｂが係合することにより前記スライドブロック１１９を前記ベースリング１１３の中心軸線に対して異なる遠近２つのリング径方向位置に位置付けるように構成されている。
【０１０９】
そして、これら各カム面１２３の両円弧面１２３ａ，１２３ｂのうち曲率半径が小さい方の円弧面１２３ａの周方向寸法を決定する中心角は、曲率半径が大きい方の円弧面１２３ｂの周方向寸法を決定する中心角より大きい角度に設定されている。
【０１１０】
また、これら各カム面１２３の連結面１２３ｃは、前記操作リング１２１の回動動作を円滑にするような摩擦角をもつ傾斜面で形成されている。
【０１１１】
１２４は前記カム面１２３および前記係合面１１９ｂと共に移動手段を構成する３つの圧縮コイルスプリングで、前記各貫通窓１２０の内側面と前記各立ち上がり壁１１８の外側面との間に弾装されている。
【０１１２】
これら各圧縮コイルスプリング１２４は、前記ベースリング１１３の中心軸線から離間するリング径方向に前記スライドブロック１１９を付勢して前記カム面１２３に圧接し得るように構成されている。
【０１１３】
また、１２５は前記凹部１１７を閉塞する３つのカバープレートで、プレート両端縁が前記凸部１１６のうち相互に隣り合う２つの凸部の片側端縁に取り付けられており、両側縁にはプレート上下端面（表裏面）に開口する取付孔１２５ａが設けられている。
【０１１４】
なお、符号Ｄは前記スライドブロック１１９に対する前記圧縮コイルスプリング１２４の付勢方向を示す。
【０１１５】
このように構成されたレンズマウント装置によって大型カメラのカメラ本体に対するポータブルレンズの取付方法（バヨネットマウント方式）につき、図３２および図３３を用いて説明する。
【０１１６】
先ず、図３２（Ａ）および（Ｂ）に示すように操作リング１２１を回動操作して初期位置に位置付ける。
【０１１７】
このとき、各スライドブロック１１９は、圧縮コイルスプリング１２４の弾撥力によって係合面１１９ｂがカム面１２３の円弧面１２３ｂに係合するため、操作リング１２１の中心軸線に対して最も遠い径方向位置に位置付けられる。
【０１１８】
次いで、図３２（Ｂ）に２点鎖線で示すようにレンズフランジ１１および回り止めピン１２を各々凹部１２１ｃおよび凹溝１１６ｂ内に臨ませると共に、レンズフランジ１１のバヨネットマウント基準面１１ａを凸部１１６（ベースリング１１３）のバヨネットマウント基準面１１６ａに当接させる。
【０１１９】
このとき、光路長がレンズフランジ１１のバヨネットマウント基準面１１６ａへの当接によって設定される。
【０１２０】
しかる後、操作リング１２１を図３２（Ａ）および（Ｂ）に示す初期位置から時計方向（矢印Ｆ方向）に回動操作して図３３（Ａ）および（Ｂ）に示すようにベースリング１１１に接近する方向（矢印Ｇ方向）に後退させることにより、レンズ鏡筒１０のレンズフランジ１１を各凸部１１６のバヨネットマウント基準面１１６ａに圧接する。
【０１２１】
このとき、レンズフランジ１１は、操作リング１２１（凸部１２１ｂ）およびベースリング１１３（凸部１１６）によって挾圧保持される。
【０１２２】
また、各スライドブロック１１９は、圧縮コイルスプリング１２４の弾撥力に抗して矢印Ｅ方向に前進して係合面１１９ｂがカム面１２３の連結面１２３ｃ，円弧面１２３ａに順次係合するため、操作リング１２１の中心軸線に対して最も近い径方向位置に位置付けられる。
【０１２３】
このため、スライドブロック１１９の円弧面１１９ａとレンズ鏡筒１０の外周面１０ａが嵌合して光軸合わせが行われる。
【０１２４】
このようにして、バヨネットマウント方式による大型カメラのカメラ本体のカメラ本体に対するポータブルレンズの取り付けを行うことができる。
【０１２５】
また、大型カメラのカメラ本体からポータブルレンズを取り外すには、ポータブルレンズ取り付けの場合の操作と逆の操作を行う。
【０１２６】
すなわち、ポータブルレンズの取り外しは、操作リング１２１を図３３（Ａ）および（Ｂ）に示すレンズマウント位置から初期位置まで反時計方向（矢印Ｆ方向と反対の方向）に回動操作して図３２（Ａ）および（Ｂ）に示すようにベースプレート１１１から離間するリング軸線方向（矢印Ｇ方向と反対の方向）に前進させることにより、ベースリング１１３（凸部１１６）のバヨネットマウント基準面１１６ａに対するレンズフランジ１１の圧接状態を解除し、凹部１０２ｃおよび凹溝９２外にレンズフランジ１１と回り止めピン１２を取り出すことにより行われる。
【０１２７】
なお、ポータブルカメラのカメラ本体に対するポータブルレンズの着脱は、大型カメラのカメラ本体に対するポータブルレンズの着脱と略同様にして行うことができ、その操作説明については省略する。
【０１２８】
次に、本実施例におけるレンズマウント装置によってポータブルカメラのカメラ本体に対する大型レンズの取付方法（ハンガーマウント方式）につき、図３４および図１７，図１８を用いて説明する。
【０１２９】
先ず、図３４（Ａ）および（Ｂ）に示すように操作リング１２１を回動操作して終期位置（リング操作子１２２が最下方に回動する位置）に位置付ける。
【０１３０】
このとき、各スライドブロック１１９は、圧縮コイルスプリング１２４の弾撥力によって係合面１１９ｂがカム面１２３の連結面１２３ｃ，円弧面１２３ｂに順次係合するため、操作リング１２１の中心軸線に対して最も遠い径方向位置に位置付けられる。
【０１３１】
次いで、図１７に示すように予めカメラ本体１が保持固定されたレンズサポータ５２の凹部５２ａ内にピン３３を臨ませ、このピン３３が通る水平軸線の回りに図１８に示すように矢印Ｃ方向にレンズ筐体３１を回動操作することによりレンズ筐体３１のピン３５をレンズサポータ５２の凹部５２ｂ内に臨ませてレンズサポータ５２に対してレンズ筐体３１を保持する。
【０１３２】
このとき、レンズサポータ５２のウェッジ５２ｂにレンズ筐体３１のウェッジ３４が係合して光軸合わせ行われ、またレンズ筐体３１の後方端面（ハンガーマウント基準面）３１ａがレンズサポータ５２の前方端面（ハンガーマウント基準面）５２ｃに当接して光路長が設定される。
【０１３３】
この場合、光路長が若干大きくなる（０．１ｍｍ）寸法に設定されるが、レンズ側のフランジバック調整機構によって補正可能である。
【０１３４】
また、各スライドブロック１１９がベースリング１１３の中心軸線に対して最も遠いリング径方向位置に位置付けられているため、レンズ鏡筒１０がマウント操作時に図１９〜図２３に示すように変位してスライドブロック１１９等に干渉することがない。
【０１３５】
しかる後、レンズサポータ５２上の操作子２７を正方向に回動操作して係止棒２６にレンズ筐体３１の係止部３１ｂを係止する。
【０１３６】
このようにして、ポータブルカメラのカメラ本体に対する大型レンズの取り付けを行うことができる。
【０１３７】
また、ポータブルカメラのカメラ本体から大型レンズを取り外すには、操作子２７を負方向に回動操作して係止棒２６と係止部３１ｂの係止状態を解除し、レンズ筐体３１のピン３３が通る水平軸線の回りに図１８に示すように矢印Ｃ方向と反対の方向にレンズ筐体３１を回動操作することによりレンズサポータ５２の凹部５２ｂ外にレンズ筐体３１のピン３５を取り出してから、レンズ筐体３１のピン３３をレンズサポータ５２の凹部５２ａから取り外すことにより行う。
【０１３８】
なお、大型カメラのカメラ本体に対する大型レンズの着脱は、ポータブルカメラのカメラ本体に対する大型レンズの着脱と同様にして行うことができ、その操作説明については省略する。
【０１３９】
したがって、本実施例においては、大型レンズの装着時にハンガーマウント操作とレンズ結合操作を一挙に行うことができるから、ポータブルカメラのカメラ本体に大型レンズをハンガーマウント方式によって装着する場合の操作数を削減することができる。
【０１４０】
また、本実施例においては、操作リング１２１の回動操作を係合面１１９ｂとカム面１２３の係合によって各スライドブロック１１９の進退動作に段階的に変換させることができる。
【０１４１】
なお、本実施例においては、業務用あるいは放送局用のビデオカメラに適用する例を示したが、本発明はこれに限定適用されず、他の各種光学機器にも実施例と同様に適用可能である。
【０１４２】
次に、本発明の別の第３発明（請求項１３〜請求項１９）に係るレンズマウント装置につき、図３５〜図３８を用いて説明する。
【０１４３】
図３５〜図３８は本発明の別の第３発明に係るレンズマウント装置の要部および各構成部品等を示す図で、同図において図１と同一または同等の部材については同一の符号を付し、詳細な説明は省略する。
【０１４４】
なお、同実施例の説明において、図３５〜図３８に図示しない部材については従来例の説明で用いた部材と同一の符号を用いる。
【０１４５】
同図において、符号１３１で示すものは前記操作リング１０２と同一の機能を有するレンズマウント用の操作リングで、前記カメラ本体２１に前記ベースリング８５を介して回動かつ進退自在に設けられている。
【０１４６】
この操作リング１３１は、リング外周面に露呈しリング径方向に突出するリング操作子１３２を有し、このリング操作子１３２をリング回動方向に操作することによりハンガーマウント方式あるいはバヨネットマウント方式による前記レンズ鏡筒１０，３２と前記カメラ本体１，２１の装着可・不可状態を設定し得るように構成されている。
【０１４７】
１３３および１３４は各々が互いにカメラ幅方向（水平方向）に並列する一対のレバー取付用金具で、前記ビスａの螺着位置下方に設けられ、かつ前記カメラ本体２１の前面部に取付ビス（図示せず）によって固定されている。
【０１４８】
これらレバー取付用金具１３３，１３４は、前記カメラ本体２１の前面部に対接する水平部１３３ａ，１３４ａおよびこれら各水平部１３３ａ，１３４ａに連設されレンズ取付側に突出する垂直部１３３ｂ，１３４ｂからなる略Ｌ字状の板金によって折り曲げ形成されている。
【０１４９】
これらレバー取付用金具１３３，１３４の各水平部１３３ａ，１３４ａには、前記取付ビス（図示せず）が挿通するビス挿通孔１３５，１３６が設けられている。
【０１５０】
また、これらレバー取付用金具１３３，１３４の各垂直部１３３ｂ，１３４ｂには、ベースプレート側端縁において各々が互いに接近する方向に突出する略半球状の凸部１３７，１３８が一体に設けられており、レンズ取付側端縁において各々が互いに接近する方向に突出する枢支ピン１３９，１４０がかしめ固定されている。
【０１５１】
１４１は水平方向に延在するレバー操作子１４１ａを有する枢支レバーで、前記カメラ本体２１に前記レバー取付用金具１３３，１３４を介して回動自在に設けられている。
【０１５２】
そして、この枢支レバー１４１は、前記操作リング１３１の操作位置によって前記カメラ本体２１に対して係脱され得るように構成されている。
【０１５３】
すなわち、この枢支レバー１４１は、ハンガーマウント方式による前記レンズ鏡筒１０と前記カメラ本体２１の装着可状態において前記各凸部１３７，１３８を前記各凹部１５４ａ，１５５ａに係止可能な構成とされ、かつハンガーマウント方式による前記レンズ鏡筒１０と前記カメラ本体２１の装着不可状態においては前記各凸部１３７，１３８を前記各凹部１５４ａ，１５５ａに係止不可能な構成とされている。
【０１５４】
この枢支レバー１４１は、前記操作リング１３１の外周面一部に適合可能な円弧面１４２ａ，１４３ａを有する左右２つの第１立ち上がり壁１４２，１４３および前記操作リング１３１のリング開口部１３１ａの口径より大きい口径をもつレバー開口部１４４を有する円形片１４５と、この円形片１４５の外周縁一部に前記第１立ち上がり壁１４２，１４３より外側に突出するように延設され前記リング開口部１３１ａに連通する切欠き１４７を有する矩形片１４６とからなるプラスチック片によって形成されている。
【０１５５】
また、この枢支レバー１４１には、前記ビスａにレバー係止状態において対向する突出部１４８，１４９が前記円形片１４５と前記矩形片１４６との間に介在するように一体に設けられており、これら突出部１４８，１４９および前記矩形片１４６の裏側端縁に沿って前記各第１立ち上がり壁１４２，１４３に連接する第２立ち上がり壁１５０，１５１が一体に設けられている。
【０１５６】
なお、この枢支レバー１４１は、同図に示すように矢印Ｍ，Ｎ方向に回動し、レバー係止状態において図３５に実線で示す位置に位置付けられ、レバー離脱状態において同図に２点鎖線で示す位置に位置付けられる。
【０１５７】
１５２および１５３は前記各枢支ピン１３９，１４０が臨むピン孔１５２ａ，１５３ａを有するアーム片で、前記各突出部１４８，１４９の表裏両面のうち表面上に一体に設けられている。
【０１５８】
１５４および１５５は前記枢支レバー１４１が弾性変形することにより前記各凸部１３７，１３８を挿抜可能な凹部１５４ａ，１５５ａを有する係止片で、前記各突出部１４８，１４９の表裏両面のうち裏面上に一体に設けられている。
【０１５９】
このように構成されたレンズマウント装置においては、図３５に２点鎖線で示すようにリング操作子１３２をリング回動方向初期位置に操作すると、バヨネットマウント方式による前記レンズ鏡筒１０，３２とカメラ本体１，２１の装着可状態が設定される。
【０１６０】
この後、枢支レバー１４１を図３５に２点鎖線で示す位置から矢印Ｍ方向に回動操作しても、同図に実線で示すレバー係止位置に到達する前に第１立ち上がり壁１４２，１４３のうち右側の第１立ち上がり壁１４３がリング操作子１３２に当接するため、レバー係止位置に係止することができない。
【０１６１】
次に、図３５に実線で示すようにリング操作子１３２をリング回動方向終期位置に操作すると、ハンガーマウント方式によるレンズ鏡筒１０とカメラ本体２１の装着可状態が設定される。
【０１６２】
この後、枢支レバー１４１を同図に２点鎖線で示す位置から実線で示すレバー係止位置に向かって矢印Ｍ方向に回動操作すると、リング操作子１３２および操作リング１３１が各々切欠き１４７と第１立ち上がり壁１４２，１４３内に臨むと共に、操作リング１３１が切欠き１４７の切欠き幅を狭めるように弾性変形して凹部１５４ａ，１５５ａ内に凸部１３７，１３８が臨むため、同図に実線で示すようにレバー係止位置に係止することができる。
【０１６３】
したがって、本実施例においては、カメラ本体側に対する枢支レバーの係脱によってレンズ鏡筒１０とカメラ本体２１の装着可・不可状態を検知することができるから、操作リング１３１の操作によってハンガーマウント方式によるレンズ装着可状態が設定された後にレンズ鏡筒１０とカメラ本体２１を装着することができる。
【０１６４】
また、本実施例において、枢支レバー１４１にレバー係止時にベースプレート取付用のビスａに対向する突出部１４８，１４９を設けたことは、ビスａによる締結が不十分であると、各突出部１４８，１４９がビスａに当接することになるから、カメラ本体２１に対するベースプレート８１（レンズマウント装置８０）の取付不良を検知することができる。
【０１６５】
因に、本実施例における枢支レバー１４１を係止状態から離脱させるには、係止片１５４，１５５の凹部１５４，１５５とレバー取付用金具１３３，１３４の凸部１３７，１３８との係止状態を解除し、枢支レバー１４１を図３５に示すように係止位置から矢印Ｎ方向に回動操作することにより行う。
【０１６６】
なお、本実施例においては、枢支レバー１４１のレバー開口部１４４が丸形孔からなるものを示したが、本発明の別の第３発明はこれに限定されるものではなく、ハンガーマウント方式によるレンズ結合を可能にするものであれば、例えば角形孔からなるものでも何等差し支えない。
【０１６７】
また、本発明において、各マウント方式によるレンズ鏡筒とカメラ本体の装着可・不可状態が設定されるカメラ本体側のレンズマウント構造は、例えば光軸方向に進退するスライドリングを備えたものあるいは光軸と垂直な方向に進退するスライドブロックを備えたものでもよく、特に限定されるものでないことは勿論である。
【０１６８】
【発明の効果】
以上説明したように本発明によれば、各マウント方式によるレンズ鏡筒とカメラ本体の装着可・不可状態を設定するための操作リングと、この操作リングの操作位置によってカメラ本体側に係脱可能な枢支レバーとを備え、この枢支レバーを、ハンガーマウント方式によるレンズ鏡筒とカメラ本体の装着可状態においてカメラ本体側に係止可能な構成とし、かつハンガーマウント方式によるレンズ鏡筒とカメラ本体の装着不可状態においてカメラ本体側に係止不可能な構成としたので、カメラ本体側に対する枢支レバーの係脱によってレンズ鏡筒とカメラ本体の装着可・不可状態を検知することができる。
【０１６９】
したがって、操作リングによってハンガーマウント方式によるレンズ装着可状態が設定された後にレンズ鏡筒とカメラ本体を装着することができるから、カメラ本体に対する大型レンズの干渉を未然に防止することができる。
【０１７０】
請求項７において、枢支レバーにレバー係止時にベースプレート取付用のビスに対向する突出部を設けたことは、ビス締結が不十分であると、各突出部がビスに当接することになるから、カメラ本体に対するベースプレートの取付不良を検知することができ、各マウント方式によるカメラ本体に対するレンズの誤装着を未然に防止することができる。
【図面の簡単な説明】
【図１】本発明に係るレンズマウント装置の要部を示す分解斜視図。
【図２】（Ａ）〜（Ｃ）は同じく本発明におけるレンズマウント装置の全体を示す平面図と正面図と側面図。
【図３】本発明におけるレンズマウント装置をポータブルカメラに使用した例を示す分解斜視図。
【図４】本発明におけるレンズマウント装置をポータブルカメラに使用した例を示す側面図。
【図５】（Ａ）および（Ｂ）は本発明におけるレンズマウント装置のベースプレート（ダミーブロック）を示す正面図と断面図。
【図６】（Ａ）および（Ｂ）は本発明におけるレンズマウント装置のベースリング（バヨネットマウント）を示す正面図と平面図。
【図７】（Ａ）および（Ｂ）は本発明におけるレンズマウント装置のベースリングを示す背面図と側面図。
【図８】（Ａ）〜（Ｃ）は本発明におけるレンズマウント装置のスライドリング（スライダー）を示す平面図と正面図と側面図。
【図９】本発明におけるレンズマウント装置のスライドリング進退用のピン（スペーサ）を示す断面図。
【図１０】（Ａ）〜（Ｄ）は本発明におけるレンズマウント装置の円筒カムを示す正面図と側面図と下面図と展開図。
【図１１】（Ａ）〜（Ｃ）は本発明におけるレンズマウント装置のピン係止片（カムフランジ）を示す正面図と側面図と下面図。
【図１２】（Ａ）〜（Ｃ）は本発明におけるレンズマウント装置の操作リング（バヨネットリング）を示す正面図と側面図と下面図。
【図１３】（Ａ）および（Ｂ）は本発明におけるレンズマウント装置の円筒カム回動用のピンを示す正面図と側面図。
【図１４】（Ａ）および（Ｂ）は本発明におけるレンズマウント装置を用いたバヨネットマウント方式によるレンズ装着（１）を説明するために示す正面図と断面図。
【図１５】（Ａ）および（Ｂ）は本発明におけるレンズマウント装置を用いたバヨネットマウント方式によるレンズ装着（２）を説明するために示す正面図と断面図。
【図１６】（Ａ）および（Ｂ）は本発明におけるレンズマウント装置を用いたハンガーマウント方式によるレンズ装着を説明するために示す正面図と断面図。
【図１７】本発明におけるレンズマウント装置を用いた大型レンズのハンガーマウント操作（１）を説明するために示す側面図。
【図１８】本発明におけるレンズマウント装置を用いた大型レンズのハンガーマウント操作（２）を説明するために示す側面図。
【図１９】本発明におけるレンズマウント装置を用いたハンガーマウント方式によるレンズ結合操作（１）を説明するために示す断面図。
【図２０】本発明におけるレンズマウント装置を用いたハンガーマウント方式によるレンズ結合操作（２）を説明するために示す断面図。
【図２１】本発明におけるレンズマウント装置を用いたハンガーマウント方式によるレンズ結合操作（３）を説明するために示す断面図。
【図２２】本発明におけるレンズマウント装置を用いたハンガーマウント方式によるレンズ結合操作（４）を説明するために示す断面図。
【図２３】本発明におけるレンズマウント装置を用いたハンガーマウント方式によるレンズ結合操作（５）を説明するために示す断面図。
【図２４】本発明の別の第２発明に係るレンズマウント装置の要部を示す分解斜視図。
【図２５】（Ａ）および（Ｂ）は同じく第２発明におけるレンズマウント装置のベースプレートに対するベースリングの取付状態を示す正面図と断面図。
【図２６】（Ａ）および（Ｂ）は第２発明におけるレンズマウント装置のベースプレートを示す背面図と側面図。
【図２７】（Ａ）および（Ｂ）は第２発明におけるレンズマウント装置のベースリングを示す正面図と断面図。
【図２８】第２発明におけるレンズマウント装置のカバープレートを示す正面図。
【図２９】（Ａ）および（Ｂ）は第２発明におけるレンズマウント装置のスライドブロックを示す正面図と側面図。
【図３０】（Ａ）および（Ｂ）は第２発明におけるレンズマウント装置の操作リングを示す正面図とベースリングに対する操作リングの取付状態を示す正面図。
【図３１】（Ａ）および（Ｂ）は第２発明におけるレンズマウント装置の操作リングを示す背面図と断面図。
【図３２】（Ａ）および（Ｂ）は第２発明におけるレンズマウント装置を用いたバヨネットマウント方式によるレンズ装着（１）を説明するために示す正面図と断面図。
【図３３】（Ａ）および（Ｂ）は第２発明におけるレンズマウント装置を用いたバヨネットマウント方式によるレンズ装着（２）を説明するために示す正面図と断面図。
【図３４】（Ａ）および（Ｂ）は第２発明におけるレンズマウント装置を用いたハンガーマウント方式によるレンズ装着を説明するために示す正面図と断面図。
【図３５】本発明の別の第３発明に係るレンズマウント装置の要部を示す分解斜視図。
【図３６】（Ａ）〜（Ｃ）は同じく第３発明におけるレンズマウント装置のレバー取付用金具を示す平面図と正面図と側面図。
【図３７】（Ａ）〜（Ｃ）は第３発明におけるレンズマウント装置の枢支レバーを示す正面図と側面図と下面図。
【図３８】（Ａ）および（Ｂ）は第３発明におけるレンズマウント装置の枢支レバーを示す背面図と断面図。
【図３９】従来におけるレンズマウント装置をポータブルカメラに使用した例を示す分解斜視図。
【図４０】従来におけるレンズマウント装置をポータブルカメラに使用した例を示す側面図。
【図４１】（Ａ）および（Ｂ）は従来におけるレンズマウント装置を用いたバヨネットマウント方式によるレンズ装着（１）を説明するために示す正面図と断面図。
【図４２】（Ａ）および（Ｂ）は従来におけるレンズマウント装置を用いたバヨネットマウント方式によるレンズ装着（２）を説明するために示す正面図と側面図。
【図４３】（Ａ）および（Ｂ）はポータブルカメラのレンズ鏡筒を示す正面図と側面図。
【図４４】（Ａ）および（Ｂ）は従来におけるレンズマウント装置のバヨネットマウント部を示す正面図と断面図。
【図４５】従来におけるレンズマウント装置の大型カメラに使用した例を示す側面図。
【図４６】従来におけるレンズマウント装置の大型カメラに使用した例を示す斜視図。
【図４７】（Ａ）および（Ｂ）は従来におけるレンズマウント装置を用いたハンガーマウント操作を説明するために示す分解斜視図と側面図。
【図４８】従来におけるレンズマウント装置を用いたハンガーマウント方式によるレンズ結合操作の手順（１）を説明するために示す断面図。
【図４９】従来におけるレンズマウント装置を用いたハンガーマウント方式によるレンズ結合操作の手順（２）を説明するために示す断面図。
【図５０】従来におけるレンズマウント装置を用いたハンガーマウント方式によるレンズ結合操作の手順（３）を説明するために示す断面図。
【図５１】従来におけるレンズマウント装置を用いたハンガーマウント方式によるレンズ結合操作の手順（４）を説明するために示す断面図。
【図５２】従来におけるレンズマウント装置を用いたハンガーマウント方式によるレンズ結合操作の手順（５）を説明するために示す断面図。
【図５３】従来におけるレンズマウント装置を用いたハンガーマウント操作の手順（１）を説明するために示す側面図。
【図５４】従来におけるレンズマウント装置を用いたハンガーマウント操作の手順（２）を説明するために示す側面図。
【図５５】従来におけるレンズマウント装置を用いたハンガーマウント操作の手順（３）を説明するために示す側面図。
【図５６】従来におけるレンズマウント装置を用いたハンガーマウント方式によるレンズ結合不可状態を示す側面図。
【図５７】従来におけるレンズマウント装置によってハンガーマウント方式によるレンズ結合操作ができない場合の手順（１）を示す断面図。
【図５８】従来におけるレンズマウント装置を用いたハンガーマウント方式によるレンズ結合操作ができない場合の手順（２）を示す断面図。
【図５９】従来におけるレンズマウント装置を用いたハンガーマウント方式によるレンズ結合操作ができない場合の手順（３）を示す断面図。
【図６０】従来におけるレンズマウント装置を用いたハンガーマウント方式によるレンズ結合操作ができない場合の手順（４）を示す断面図。
【図６１】従来におけるレンズマウント装置を用いたハンガーマウント方式によるレンズ結合操作ができない場合の手順（５）を示す断面図。
【符号の説明】
８５…ベースリング
８５ａ…バヨネットマウント基準面
８８…長孔
９５…スライドリング
９５ａ…内周面
９６，９７…ピン
９９…円周カム
１００…ピン係止片
１０１…カム孔
１０１ａ，１０１ｂ…長孔
１０１ｃ…連結孔
１０２…操作リング
１０３…操作ピン
【図１】
0003552713.tif 000002
【図２】
0003552713.tif 000003
【図３】
0003552713.tif 000004
【図４】
0003552713.tif 000005
【図５】
0003552713.tif 000006
【図６】
0003552713.tif 000007
【図７】
0003552713.tif 000008
【図８】
0003552713.tif 000009
【図９】
0003552713.tif 000010
【図１０】
0003552713.tif 000011
【図１１】
0003552713.tif 000012
【図１２】
0003552713.tif 000013
【図１３】
0003552713.tif 000014
【図１４】
0003552713.tif 000015
【図１５】
0003552713.tif 000016
【図１６】
0003552713.tif 000017
【図１７】
0003552713.tif 000018
【図１８】
0003552713.tif 000019
【図１９】
0003552713.tif 000020
【図２０】
0003552713.tif 000021
【図２１】
0003552713.tif 000022
【図２２】
0003552713.tif 000023
【図２３】
0003552713.tif 000024
【図２４】
0003552713.tif 000025
【図２５】
0003552713.tif 000026
【図２６】
0003552713.tif 000027
【図２７】
0003552713.tif 000028
【図２８】
0003552713.tif 000029
【図２９】
0003552713.tif 000030
【図３０】
0003552713.tif 000031
【図３１】
0003552713.tif 000032
【図３２】
0003552713.tif 000033
【図３３】
0003552713.tif 000034
【図３４】
0003552713.tif 000035
【図３５】
0003552713.tif 000036
【図３６】
0003552713.tif 000037
【図３７】
0003552713.tif 000038
【図３８】
0003552713.tif 000039
【図３９】
0003552713.tif 000040
【図４０】
0003552713.tif 000041
【図４１】
0003552713.tif 000042
【図４２】
0003552713.tif 000043
【図４３】
0003552713.tif 000044
【図４４】
0003552713.tif 000045
【図４５】
0003552713.tif 000046
【図４６】
0003552713.tif 000047
【図４７】
0003552713.tif 000048
【図４８】
0003552713.tif 000049
【図４９】
0003552713.tif 000050
【図５０】
0003552713.tif 000051
【図５１】
0003552713.tif 000052
【図５２】
0003552713.tif 000053
【図５３】
0003552713.tif 000054
【図５４】
0003552713.tif 000055
【図５５】
0003552713.tif 000056
【図５６】
0003552713.tif 000057
【図５７】
0003552713.tif 000058
【図５８】
0003552713.tif 000059
【図５９】
0003552713.tif 000060
【図６０】
0003552713.tif 000061
【図６１】
0003552713.tif 000062